(57)【要約】【課題】棒型電子タグを収容するのに好適なものであり、しかも簡単な加工によりコイン型の電子タグ収容用のケースとしても転換できるバンド付き棒型電子タグ収容ケースを提供することを目的とする。【解決手段】棒型電子タグ１３を収容するための収容長溝１４を内面に設けたタグケース１２と、タグケース１２嵌合用の凹部１９を内面に設け、両端にバンド取付部２０を設けたカバーケース１８とを備えている。そして、棒型電子タグ１３をタグケース１２の長溝１４に収容したのち、このタグケース１２を、収容長溝１４側からカバーケース１８の凹部１９に嵌合、固定し、バンド取付部２０にバンド１を取付けて構成する。【選択図】          図１
2004170738.tif 000002
【特許請求の範囲】
【請求項１】
棒型電子タグを収容するための収容長溝を内面に設けたタグケースと、
タグケース嵌合用の凹部を内面に設けると共に、両端にバンド取付部を設けたカバーケースとを備え、
棒型電子タグをタグケースの収容長溝に収容したのち、このタグケースを、その収容長溝側から前記カバーケースの凹部に嵌合、固定し、バンド取付部にバンドを取付けることを特徴とするバンド付き棒型電子タグ収容ケース。
【請求項２】
タグケース内側の前後方向中央部に、細長の棒型電子タグ収容長溝と、その両側に同形状の軽量化溝をそれぞれ設けたことを特徴とする請求項１記載のバンド付き棒型電子タグ収容ケース。
【請求項３】
タグケースの左右両側に、内壁面を、コイン型の電子タグを収容可能とすべく、弧状に湾曲する膨出板、およびその外面中央部に係止突起をそれぞれ設け、一方、カバーケースの凹部の左右両内壁に、タグケースの膨出板が嵌合可能な凹み、およびその中央部に係止孔をそれぞれ設け、前記タグケースの膨出板および係止突起を、カバーケースの凹みおよび係止孔に嵌合、係止して両ケースを固定することを特徴とする請求項１記載のバンド付き棒型電子タグ収容ケース。
【発明の詳細な説明】
【０００１】
【発明の属する技術分野】
本発明は、バンド付き棒型電子タグ収容ケースに関する。
【０００２】
【従来の技術】
従来、フィットネスクラブ、サウナ、ボーリング場、プール、スキー場等の施設、例えば貸しロッカーにおいては、無線で記憶媒体に記憶番号の書き換えができるコイン型の電子タグ（非接触ＩＣ記憶媒体）を収容したケースを取り付けたリストバンドが利用されている。
【０００３】
すなわち、ロッカー利用者は、このリストバンドを装着したままロッカーとの間で、ケース内部の電子タグを介してＩＤコードの授受を非接触で行い、ＩＤコードの一致によりロッカーを解錠するものである（例えば、特許文献１参照）。
【０００４】
【特許文献１】
特開２００２−２０２７２３号公報
【０００５】
【発明が解決しようとする課題】
ところで、近年、前記したような非接触ＩＣ記憶媒体として、コイン型の電子タグの他に、棒型の電子タグも使われるようになっている。
しかしながら、従来のバンド付きの棒型電子タグ収容ケースは、コイン型の電子タグ（例えば、直径が約２０ｍｍ）専用に形成されており、棒型の電子タグを収容できるようになっていない。そこで、最近は、コイン型の電子タグの他に、より小型軽量の棒型電子タグ（例えば、長さが約２３ｍｍ、直径が約４ｍｍ）を使用できる電子タグ収容ケースの出現が要望されている。
【０００６】
本発明は、前記した要望に鑑みてなされたもので、棒型電子タグを収容するのに好適なものであり、しかも、簡単な加工によりコイン型の電子タグ収容用のケースとしても転換できるバンド付き棒型電子タグ収容ケースを提供することを目的とする。
【０００７】
【課題を解決するための手段】
上記目的を達成するために、本発明に係るバンド付き棒型電子タグ収容ケースは、請求項１は、棒型電子タグを収容するための収容長溝を内面に設けたタグケースと、
タグケース嵌合用の凹部を内面に設けると共に、両端にバンド取付部を設けたカバーケースとを備え、
棒型電子タグをタグケースの収容長溝に収容したのち、このタグケースを、その収容長溝側から前記カバーケースの凹部に嵌合、固定し、バンド取付部にバンドを取付けることを特徴とする。
【０００８】
この請求項１の発明では、バンドを手首に装着したまま使用できるため、両手指を自由に使うことができる等、使い勝手が頗る良い。また、細長い棒型電子タグを使用するため、タグケースに細い長溝を設けるだけで良く、小さなスペースを加工するだけで済み、ケース全体の小型化が図れる。さらに、タグケースの収容長溝に棒型電子タグを収容したのち、このタグケースを、カバーケースに設けた凹部とワンタッチ嵌合するだけの容易の操作で組み立てることができる。
【０００９】
請求項２は、タグケース内側の前後方向中央部に、細長の棒型電子タグ収容長溝と、その両側に同形状の軽量化溝をそれぞれ設けたことを特徴とする。
【００１０】
この請求項２の発明では、タグケースの収容長溝のみならず、軽量化溝を設けたので、一層軽量化することができる。
【００１１】
請求項３では、タグケースの左右両側に、内壁面をコイン型の電子タグを収容可能とすべく、弧状に湾曲する膨出板、およびその外面中央部に係止突起をそれぞれ設け、一方、カバーケースの凹部の左右両内壁に、タグケースの膨出板が嵌合可能な凹み、およびその中央部に係止孔をそれぞれ設け、前記タグケースの膨出板および係止突起をカバーケースの凹みおよび係止孔に嵌合、係止して両ケースを固定することを特徴とする。
【００１２】
この請求項３の発明では、タグケースの左右両側の膨出部の内壁面を、コイン型の電子タグが収容可能とすべく形成したものであるから、棒型電子タグの収容長溝の両突壁を削除するだけで同コイン型の電子タグ収容ケースに容易に転換できる。また、タグケース両側の膨出部およびその外面に設けた係止突起と、カバーケースの凹部両側に設けた凹みおよび係止孔をそれぞれ嵌合、係止できるため、タグケースとカバーケースを一層強固に固定でき、使用中に外れることがない。
【００１３】
【発明の実施の形態】
以下、本発明の実施の形態について図面を参照して詳細に説明する。
図１は、本発明に係るバンド付き棒型電子タグ収容ケースのバンドの一部を切り欠いた全体斜視図を示し、図２は、同上収容ケースにおけるタグケースの内面図を示し、図３は、その外面図を示し、図４は、その平面図を示し、図５は、同上収容ケースにおけるカバーケースの内面図を示し、図６は、その外面図を示し、図７は、その平面図を示し、図８は、図１のＡ−Ａ線矢視断面図を示し、図９は、図１のＢ−Ｂ線矢視断面図を示し、図１０は、棒型電子タグの説明図を示し、図１１は、他例のバンド付き棒型電子タグ収容ケースの全体平面図を示す。
【００１４】
図面において、１はリストバンド、１１は棒型電子タグ収容ケースをそれぞれ示す。
【００１５】
リストバンド１は、次のように構成される。
可とう性を有する非磁性の合成樹脂材からなる長短のバンド２、３と、このバンド２、３の基端にそれぞれ設けられたホルダ部４、５と、バンド３の先端に装着された取付具６と、バンド２の片面に一定の間隔を置いて並設された、前記取付具６に係止される複数の突条７とを備え、ホルダ部４、５に係止ピン８、９がそれぞれ挿着され、係止ピン８、９の両突端を収容ケース１１のバンド取付部（後述する）に係止させることによって収容ケース１１の前後両端に回動自在に支持される。
なお、本発明のリストバンド１としては、図示例に示す形態に限られるものではなく、例えば図１１に示すカールコードからなるリストバンド１ａ、もしくは伸縮性ある合成ゴム製平ベルトからなるリストバンド（図示していない）等を使用することもできる。
【００１６】
棒型電子タグ収容ケース１１は、次のように構成される。
正面形状が略矩形の硬質プラスチック材よりなるタグケース１２と、これと嵌合する同形状のカバーケース１８とから構成されている。
【００１７】
前記タグケース１２は、その内面の長さ方向中央に、上面を出し入れ可能な開口部１４ａとした、棒型電子タグ１３を収容するための収容長溝１４が設けられている。そして、さらに、この収容長溝１４の両側には、同形状の軽量化溝１５がそれぞれ設けられている。
【００１８】
また、前記タグケース１２の左右両側に、内壁面１６ａをコイン型の電子タグ（図示しない）を収容可能とすべく、弧状に湾曲する膨出板１６、およびその外面中央部に係止突起１７がそれぞれ設けられている。
なお、前記膨出板１６は、図示の如く若干の弾性が備わるように薄板状に形成されている。
【００１９】
前記カバーケース１８は、その内面にタグケース１２嵌合用の凹部１９が設けられると共に、前後部両端にバンド取付部２０がそれぞれ設けられている。
【００２０】
前記カバーケース１８の凹部１９には、その左右内壁面に、タグケース１２の膨出板１６の外壁面と対応するように膨出板１６が嵌合可能な凹み２１、およびその中央部に膨出板１６外面の係止突起１７に係合する係止孔２２がそれぞれ対向するようにして設けられている。
【００２１】
前記カバーケース１８両端のバンド取付部２０は、リストバンド１における各バンド２、３のホルダ部４、５に挿着された既述係止ピン８、９の両端が係止するピン孔２３が前後両端に対向してそれぞれ設けられている。
【００２２】
このような構成からなる棒型電子タグ収容ケース１１は、次のようにして組み立てられるものである。
先ず、タグケース１２内面に設けられた収容長溝１４の内部に一個の棒型電子タグ１３を収容する。
【００２３】
次いで、このタグケース１２を、その内面側（収容長溝１４側）からカバーケース１８の凹部１９に押し込む。
すると、タグケース１２の四角部分がカバーケース１８の凹部１９の同等部分に嵌合すると同時に、タグケース１２両側の膨出板１６、およびその外側の係止突起１７が、カバーケース１８の凹部１９両内壁面の凹み２１、および係止孔２２にそれぞれ嵌合、係止されるため、両ケース１２、１８は強固に固定される。
【００２４】
このとき、カバーケース１８両端のバンド取付部２０には、図１に示すリストバンド１、あるいは図１１に示すカールコードからなるリストバンド１ａ、さらには伸縮性ある合成ゴム製平ベルトからなるリストバンド（図示していない）等々が取り付けられる。
【００２５】
【発明の効果】
以上詳述したように、本発明に係るバンド付き棒型電子タグ収容ケースは、棒型電子タグを収容するための収容長溝を設けたタグケースと、このタグケースが嵌合可能な凹部を設けたカバーケースとを備え、タグケースの長溝に棒型電子タグを収容したのちに、カバーケースをワンタッチ嵌合する構造であるから、電子タグ収容用に小さなスペースを加工するだけで済み、小型化が図れると共に、きわめて簡単に組み立てることができるものである。
【００２６】
また、タグケースの左右両側に、内壁面を、コイン型の電子タグを収容可能とすべく、弧状に湾曲する膨出板、およびその外面中央部に係止突起を設け、一方、カバーケースの凹部の左右両内壁に、タグケースの膨出板が嵌合可能な凹み、およびその中央部に係止孔を設けたものであるから、長溝両側の突壁を削除するだけで必要に応じてコイン型の電子タグ収容ケースへ簡単に転換することができる。
【００２７】
さらに、タグケースの膨出板と係止突起を、カバーケースの凹みと係止孔へ嵌合、係止するものであるから、両ケースは強固に固定され、簡単には離脱しないものである。したがって、ロッカー等の利用者のいたずらによる収容ケース内部の電子タグの抜き取りを防ぐことができる。
【図面の簡単な説明】
【図１】本発明に係るバンド付き棒型電子タグ収容ケースのバンドの一部を切り欠いた全体斜視図を示す。
【図２】同上収容ケースにおけるタグケースの内面図を示す。
【図３】同上収容ケースにおけるタグケースの外面図を示す。
【図４】同上収容ケースにおけるタグケースの平面図を示す。
【図５】同上収容ケースにおけるカバーケースの内面図を示す。
【図６】同上収容ケースにおけるカバーケースの外面図を示す。
【図７】同上収容ケースにおけるカバーケースの平面図を示す。
【図８】図１のＡ−Ａ線矢視断面図を示す。
【図９】図１のＢ−Ｂ線矢視断面図を示す。
【図１０】棒型電子タグの説明図を示す。
【図１１】他例のバンド付き棒型電子タグ収容ケースの全体平面図を示す。
【符号の説明】
１      リストバンド
１１    棒型電子タグ収容ケース
１２    タグケース
１３    棒型電子タグ
１４    収容長溝
１５    軽量化溝
１６    膨出板
１６ａ  内壁面
１７    係止突起
１８    カバーケース
１９    凹部
２０    バンド取付部
２１    凹み
２２    係止突起
【図１】
2004170738.tif 000003
【図２】
2004170738.tif 000004
【図３】
2004170738.tif 000005
【図４】
2004170738.tif 000006
【図５】
2004170738.tif 000007
【図６】
2004170738.tif 000008
【図７】
2004170738.tif 000009
【図８】
2004170738.tif 000010
【図９】
2004170738.tif 000011
【図１０】
2004170738.tif 000012
【図１１】
2004170738.tif 000013